(57)【要約】【課題】隙間塞ぎ板を幅木本体に対し折り畳みできるようにすることにより、幅木をコンパクトに且つ安定良く積み重ねできるようにした幅木を提供する。【解決手段】既設の下段側足場板３から新設する上段側足場板３の先行手摺りとして隣り合う建枠４，４の対向する脚柱５，５間に設置される手摺り枠２に、足場板３の桁側端部に沿うように取り付けられる幅木であって、手摺り枠２に起立姿勢に取り付けられる幅木本体１４と、一側端部が幅木本体１４の下端部に蝶着され、足場板３の桁側端部側方の隙間を塞ぐように他側端部がその足場板３の桁側端部上に載置される隙間塞ぎ板１５と、隙間塞ぎ板１５を幅木本体１４と対面するように折り畳んだ折畳位置で幅木本体１４に固定するロック装置１６Ａとからなる。【選択図】図２
2012180660.tif 000002
【特許請求の範囲】
【請求項１】
枠組足場の組み立てにあたって既設の下段側足場板から新設する上段側足場板の先行手摺りとして隣り合う建枠の対向する脚柱間に設置される手摺り枠に、足場板の桁側端部に沿うように取り付けられる幅木であって、手摺り枠に起立姿勢に取り付けられる幅木本体と、一側端部が幅木本体の下端部に蝶着され、足場板の桁側端部側方の隙間を塞ぐように他側端部がその足場板の桁側端部上に載置される隙間塞ぎ板と、この隙間塞ぎ板を幅木本体と対面するように折り畳んだ折畳位置で幅木本体に固定するロック装置とからなる先行手摺り用幅木。
【請求項２】
ロック装置は、先端部に下向き鉤部を有して幅木本体の上端部に設けた貫通口に挿通されるロックプレートの基端部を、この基端部を上から押えることによって貫通口の内端側から所定長さ突出した前記鉤部が上方へ変位するように揺動可能に幅木本体の外面側に枢着し、隙間塞ぎ板には折畳位置で前記貫通口と対向する位置にロック用開口を設け、前記ロックプレートと幅木本体との間には前記鉤部が貫通口の内端側から所定長さ突出した位置で折畳位置にある隙間塞ぎ板のロック用開口の下端縁部に係止して隙間塞ぎ板を固定するロック位置にロックプレートを付勢するバネを設け、ロックプレートの基端部を押えることにより前記鉤部が隙間塞ぎ板のロック用開口の下端縁部から離脱してロック解除するようにしてなる請求項１に記載の先行手摺り用幅木。
【請求項３】
ロックプレートは下向き鉤部の先端部がテーパに形成され、隙間塞ぎ板を折り畳む際にその先端テーパ部が隙間塞ぎ板のロック用開口の下端縁部に当接するようになっていて、隙間塞ぎ板の折り畳み時にそのロック用開口の下端縁部が前記先端テーパ部に押し当てられることにより、ロックプレートがバネに抗して一時的にロック解除した後に前記鉤部が前記ロック用開口の下端縁部に係止して自動ロックするようになっている請求項２に記載の先行手摺り用幅木。
【請求項４】
ロック装置は、ロックピン及びバネからなり、ロックピンは、金属製の中空状押出形材からなる幅木本体の上端部を貫通して軸支され、バネで幅木本体の外側方向へ付勢される支軸部と、支軸部の先端部から幅木本体の内側面に沿って平行に延びる操作軸部と、操作軸部の先端部から内向きに支軸部と平行に延びる係止軸部とからなり、隙間塞ぎ板には、折畳位置でロックピンの操作軸部を挿通して外側へ突き出す長孔と、この長孔から突出したロックピンの操作軸部を引きながら支軸部周りに所定角度回動させた位置で係止軸部が係入可能なピン孔とを設け、隙間塞ぎ板を折り畳んだ位置で隙間塞ぎ板の長孔から手前側へ突出したロックピンの操作軸部を引きながら回動させて、係止軸部を隙間塞ぎ板及び幅木本体のロック孔に係入させることにより隙間塞ぎ板をロックし、係止軸部を引きながら回動させて、操作軸部を隙間塞ぎ板の長孔に挿入させることによってロック解除するようにしてなる請求項１に記載の先行手摺り用幅木。
【発明の詳細な説明】
【技術分野】
【０００１】
本発明は、枠組足場を組み立てる際に、既設の下段側足場板から新設する上段側足場板の先行手摺りとして隣り合う建枠の対向する脚柱に設置される手摺り枠に、足場板の桁側端部に沿うように取り付けられる幅木に関するものである。
【背景技術】
【０００２】
足場板上での高所作業では、作業者の手にしたボルト、ナット、各種工具類等を誤って落下させ、事故につながるという危険性があることから、安全対策として足場板の側縁部上に設置されるのが幅木である。一方、足場用建枠及び足場板を使用して、対向する足場用建枠の両横材間に足場板を架け渡した場合、その架け渡した足場板の桁側端部側方に、つまり足場板の一側端部と両足場用建枠の縦材側（正確には、両足場用建枠の対向する縦材を結ぶライン）との間に隙間が生じ、具体的に、例えば、スパンが９１４ｍｍの建枠を使用して、対向する一対の建枠の両横材間に、５００ｍｍ幅の足場板と２４０ｍｍ幅の足場板を並列に架け渡し、両足場板を互いに接する状態で一方の縦材側へ引き寄せると、他方の縦材側と足場板との間には約１３０ｍｍ程度の隙間ができる。このように足場板と建枠の縦材側との間に隙間ができると、作業者が足を踏み外すおそれがあって非常に危険であることから、その隙間を塞ぐ隙間塞ぎ板を幅木本体に連結したものが隙間塞ぎ板付きの幅木である。
【０００３】
先行手摺りの手摺り枠に取り付けられる従来の隙間塞ぎ板付き幅木として、特許公報等の具体的な公知文献を挙げることはできないが、従来の隙間塞ぎ板付き幅木は、手摺り本体の所定高さ位置に幅木が取り付けられ、この幅木の下端部に隙間塞ぎ板が幅木に対して直角に一体的に連結されている。
【発明の概要】
【発明が解決しようとする課題】
【０００４】
隙間塞ぎ板付きの幅木を備えた先行手摺りに取り付けられる従来の隙間塞ぎ板付きの幅木は、上記のように幅木本体の下端部に隙間塞ぎ板が直角に一体的に連結されていることから、幅木を多数搬送したり保管する際にそれらを複数段に積み重ねると、非常に嵩張って、積み込みや保管のために広いスペースが必要となる。
【０００５】
本発明は、上記の事情に鑑み、隙間塞ぎ板を幅木本体に対し折り畳みできるようにすることにより、幅木を有効に且つ安定良く積み重ねできるようにした幅木を提供することを目的とする。
【課題を解決するための手段】
【０００６】
上記課題を解決するための手段を、後述する実施形態の参照符号を付して説明すると、請求項１に係る発明は、枠組足場の組み立てにあたって、既設の下段側足場板３から新設する上段側足場板３の先行手摺りとして隣り合う建枠４，４の対向する脚柱５，５間に設置される手摺り枠２に、足場板３の桁側端部に沿うように取り付けられる幅木であって、手摺り枠２に起立姿勢に取り付けられる幅木本体１４と、一側端部が幅木本体１４の下端部に蝶着され、足場板３の桁側端部側方の隙間を塞ぐように他側端部がその足場板３の桁側端部上に載置される隙間塞ぎ板１５と、この隙間塞ぎ板１５を幅木本体１４と対面するように折り畳んだ折畳位置で幅木本体１４に固定するロック装置１６Ａ，１６Ｂとからなることを特徴とする。
【０００７】
請求項２は、請求項１に記載の先行手摺り用幅木において、図１〜図４に示すように、ロック装置１６Ａは、先端部に下向き鉤部１８を有して幅木本体１４の上端部に設けた貫通口１９に挿通されるロックプレート２０の基端部２０ｏを、この基端部２０ｏを上から押えることによって貫通口１９の内端側から所定長さ突出した前記鉤部１８が上方へ変位するように揺動可能に幅木本体１４の外面側に枢着し、隙間塞ぎ板１５には折畳位置で前記貫通口１９と対向する位置にロック用開口２２を設け、前記ロックプレート２０と幅木本体１４との間には前記鉤部１８が貫通口１９の内端側から所定長さ突出した位置で折畳位置にある隙間塞ぎ板１５のロック用開口２２の下端縁部に係止して隙間塞ぎ板１５を固定するロック位置にロックプレート２０を付勢するバネ２３を設け、ロックプレート２０の基端部２０ｏを押えることにより前記鉤部１８が隙間塞ぎ板１５のロック用開口２２の下端縁部から離脱してロック解除するようにしてなることを特徴とする。
【０００８】
請求項３は、請求項２に記載の先行手摺り用幅木において、ロックプレート２０は下向き鉤部１８の先端部１８ａがテーパに形成され、隙間塞ぎ板１５を折り畳む際にその先端テーパ部１８ａが隙間塞ぎ板１５のロック用開口２２の下端縁部に当接するようになっていて、隙間塞ぎ板１５の折り畳み時にそのロック用開口２２の下端縁部が前記先端テーパ部１８ａに押し当てられることにより、ロックプレート２０がバネ２３に抗して一時的にロック解除した後に前記鉤部１８が前記ロック用開口２２の下端縁部に係止して自動ロックするようになっていることを特徴とする。
【０００９】
請求項４は、請求項１に記載の先行手摺り用幅木において、図５〜図７に示すように、ロック装置１６Ｂは、ロックピン２８及びバネ２９からなり、ロックピン２８は、金属製の中空状押出形材からなる幅木本体１４の上端部を貫通して軸支され、バネ２９で幅木本体１４の外側方向へ付勢される支軸部３０と、支軸部３０の先端部から幅木本体１４の内側面に沿って平行に延びる操作軸部３１と、操作軸部３１の先端部から内向きに支軸部３０と平行に延びる係止軸部３２とからなり、隙間塞ぎ板１５には、折畳位置でロックピン２８の操作軸部３１を貫通させて外側へ突き出す長孔３３と、この長孔３３から突出したロックピン２８の操作軸部３１を引きながら支軸部３１周りに所定角度回動させた位置で係止軸部３２が係入可能なロック孔３４とを設け、隙間塞ぎ板１５を折り畳んだ位置で隙間塞ぎ板１５の長孔３３から手前側へ突出したロックピン２８の操作軸部３１を引きながら回動させて、係止軸部３２を隙間塞ぎ板１５及び幅木本体１４のロック孔３４，３６に係入させることにより隙間塞ぎ板１５をロックし、係止軸部３２を引きながら回動させて、操作軸部３１を隙間塞ぎ板１５の長孔３３に挿入させることによってロック解除するようにしてなることを特徴とする。
【発明の効果】
【００１０】
上記解決手段による発明の効果を、後述する実施形態の参照符号を付して説明すると、請求項１に係る発明の先行手摺り用幅木は、手摺り枠２に起立姿勢に取り付けられる幅木本体１４と、一側端部が幅木本体１４の下端部に蝶着され、足場板３の桁側端部側方の隙間を塞ぐように他側端部がその足場板３の桁側端部上に載置される隙間塞ぎ板１５と、隙間塞ぎ板１５を幅木本体１４と対面するように折り畳んだ折畳位置で幅木本体１４に固定するロック装置１６Ａ，１６Ｂとからなるため、幅木の非使用時には、隙間塞ぎ板１５を幅木本体１４に対し折り畳んで、ロック装置１６Ａ，１６Ｂにより隙間塞ぎ板１５を幅木本体１４に固定しておくことによって、幅木を積み重ねる時に、嵩張ることがなく、コンパクトに安定良く積み重ねることができ、搬送や保管に有効となる。
【００１１】
請求項２に係る発明によれば、ロックプレート２０の基端部２０ｏを押えることにより前記鉤部１８を隙間塞ぎ板１５のロック用開口２２の下端縁部から離脱させてロック解除した状態で、前記鉤部１８を前記ロック用開口２２の下端縁部に係止させることによって、隙間塞ぎ板１５を折畳位置に簡単に固定することができる。
【００１２】
請求項３に係る発明によれば、ロックプレート２０は下向き鉤部１８の先端部１８ａがテーパに形成されていて、隙間塞ぎ板１５を折り畳む際にその先端テーパ部１８ａが隙間塞ぎ板１５のロック用開口２２の下端縁部に当接するようになっているから、隙間塞ぎ板１５を折り畳む時に、この隙間塞ぎ板１５を使用位置から折畳位置へ一気に回動すれば、隙間塞ぎ板１５のロック用開口２２の下端縁部にロックプレート２０の先端テーパ部１８ａが押し当てられる時にテーパ効果でロックプレート２０がロック解除して、その後バネ２３の付勢力で瞬時に下向き鉤部１８がロック用開口２２に突入してその下端縁部に係止するから、特にロック操作を行うことなく、隙間塞ぎ板１５を折畳位置に自動ロックすることができる。
【００１３】
請求項４に係る発明によれば、隙間塞ぎ板１５を使用位置から折畳位置まで回転させると、ロックピン２８の操作軸部３１が隙間塞ぎ板１５の長孔３３を貫通して手前側へ突出するから、この突出した操作軸部３１を引きながら支軸部３０を中心に所定角度回転させて係止軸部３２を隙間塞ぎ板１５のロック孔３４から幅木本体１４のロック孔３６に係入させることにより、隙間塞ぎ板１５を折畳位置に固定することができ、また隙間塞ぎ板１５を使用する時は、操作軸部３１を引きながら９０度回転させて長孔３３に挿入させればロック解除状態となるから、そのまま隙間塞ぎ板１５を倒すことにより使用位置にセットすることができる。また、幅木本体１４が金属製の中空状押出形材からなるため、幅木本体が一枚の金属板からなるものに比べ、幅木本体１４の厚み幅を大きくとることができ、従ってロックピン２８を幅木本体１４に軸支するのに特別に軸受部材を取り付ける必要がなく、ロックピン２８の支軸部３０を安定良く軸支でき、製作が容易となる。
【図面の簡単な説明】
【００１４】
【図１】(a) は本発明に係る手摺り枠用幅木の一実施形態を示す正面図であり、(b) は平面図、(c) は右側面図である。
【図２】(a) は図１の(a) の矢印Ａで示す部分の拡大図、(b) は(a) のＢ−Ｂ線断面図で、隙間塞ぎ板が使用位置にある状態を示す。
【図３】(a) は隙間塞ぎ板が折畳位置にある状態の幅木の断面図で、ロックピンの先端鉤部が隙間塞ぎ板のロック用開口の下端縁部に当接したロック位置直前の状態を示し、(b-1) は隙間塞ぎ板が折畳位置にある時の一部正面図で、ロックプレートがロック位置にある状態を示し、(b-2) は(b-1) の矢印Ｃ−Ｃ線断面図である。
【図４】(a) はロック装置を幅木本体の外面側から見た斜視図、(b) は同装置を幅木本体の内面側から見た斜視図である。
【図５】(a) は本発明の他の実施形態による手摺り枠用幅木の正面図、(b) は平面図、(c) は右側面図である。
【図６】(a) は図５の(a) の矢印Ｄで示す部分の拡大図、(b) は(a) のＥ−Ｅ線断面図で、隙間塞ぎ板が使用位置にある状態を示し、(c) は(b) のＦ−ｆ線断面図である。
【図７】(a-1) は折畳位置での隙間塞ぎ板の一部正面図、(a-2) は(a-1) のＧ−Ｇ線断面図、(b-1) は折畳位置でロックピンを引きながら９０度回してロック孔に係入した状態の一部正面図、(b-2) は(b-1) のＫ−Ｋ線断面図である。
【発明を実施するための形態】
【００１５】
以下に本発明の好適な実施形態を図面に基づいて説明すると、先ず、図１の(a) は本発明の一実施形態による手摺り枠用幅木１を示す正面図であり、(b) は平面図、(c) は右側面図である。この図１において２は、枠組足場の組み立てにあたり既設の下段側足場板３から新設する上段側足場板３の先行手摺りとして隣り合う建枠４，４の対向する脚柱５，５間に設置される手摺り枠である。この手摺り枠２は、図１の(a) ，(b) に仮想線で部分的に示すように、左右縦枠７，７と上横枠（図示省略）と下横枠８と横中桟（図示省略）と縦中桟９，９とから構成される。また、建枠４は、全体の図示は省略するが、両側一対の脚柱５，５と両脚柱５，５の上端部をつなぐ横架材６とからなるもので、対向する建枠４，４の横架材６，６に足場板３がその両端部に突設されたフック（図示省略）を介して架け渡されるようになっている。
【００１６】
手摺り枠２の左右各縦枠７には、上端側１箇所と下端側２箇所との３箇所に手摺り枠取付金具が取り付けてあり、上端側の取付金具は図示を省略するが、図１の(a) 及び(c) に下端側２箇所の手摺り枠取付金具１２，１３を概略的に示す。
【００１７】
手摺り枠用幅木１は、図１に概略図示されるように、手摺り枠２に起立姿勢で取り付けられる幅木本体１４と、一側端部がヒンジＨによって幅木本体１４の下端部に蝶着され、足場板３の桁側端部側方の隙間を塞ぐように他側端部がその足場板３の桁側端部上に載置される隙間塞ぎ板１５と、この隙間塞ぎ板１５を幅木本体１４と対面するように折り畳んだ折畳位置で幅木本体１４に固定するロック装置１６Ａとから構成される。この実施形態において、ロック装置１６Ａは、図１の(a) ，(b) に示すように、幅木１の長手方向中央部の１箇所にのみ設けているが、２箇所以上の複数箇所に設けてもよい。
【００１８】
幅木本体１４は、図２に示すように、内側壁ａと外側壁ｂ、上壁ｃ、下壁ｄ及び中間仕切り壁ｅによって横断面が縦長の角筒状に形成された中空状アルミ押出型材からなるものである。隙間塞ぎ板１５は、鋼板によって形成されたもので、上面側には多数の滑り止めＧが施されている。この滑り止めＧは、図３の(a) ，(b-2) に示すように、孔加工した時に孔１７の一端縁に形成されるバリを利用したものである。
【００１９】
ロック装置１６Ａは、図２〜図４に示すように、先端部に下向き鉤部１８を有して幅木本体１４の外側壁ｂ上端部に設けた貫通口１９に挿通されるロックプレート２０の基端部２０ｏを、この基端部２０ｏを上から押えることにより貫通口１９の内端側から所定長さだけ突出した前記鉤部１８が図３(a) の仮想線図示の示すように上方へ変位しつつ若干後方へ変位するように揺動可能に幅木本体１４の外側壁ｂ上端部に枢着する一方、隙間塞ぎ板１５には折畳位置で前記貫通口１９と対向する位置にロック用開口２２を設け、ロックプレート２０と幅木本体１４との間には前記鉤部１８が貫通口１９の内端側から所定長さ突出した位置で折畳位置にある隙間塞ぎ板１５のロック用開口２２の下端縁部に係止して隙間塞ぎ板１５を固定するロック位置にロックプレート２０を付勢する捻りバネ２３を設け、しかしてロックプレート２０の基端部２０ｏを押えることにより前記下向き鉤部１８をロック用開口２２の下端縁部から離脱させてロック解除した状態で、ロックプレート２０の先端鉤部１８を折り畳んだロック用開口２２の下端縁部に係止させることによって、隙間塞ぎ板１５を折畳位置に固定するようにしたものである。
【００２０】
またこのロック装置１６Ａのロックプレート２０は、下向き鉤部１８の先端部１８ａがテーパに形成されていて、図３の(a) に示すように隙間塞ぎ板１５を折畳位置に折り畳む際にその先端テーパ部１８ａが隙間塞ぎ板１５のロック用開口２２の下端縁部に当接するようになっている。従って、ロックプレート２０の先端テーパ部１８ａが図３の(a) に実線で示すようにロック用開口２２の下端縁部に当接した状態から隙間塞ぎ板１５を幅木本体１４側へ押すと、先端テーパ部１８ａのテーパ作用によってロックプレート２０が前記捻りバネ２３の付勢力に抗して同図の仮想線図示のように上方へ変位して一時的にロック解除状態となり、その後バネ２３の付勢力により瞬時に下向き鉤部１８が隙間塞ぎ板１５のロック用開口２２を越えてその下端縁部に係止し、図３の(b-1) ，(b-2) に示すように隙間塞ぎ板１５を固定するようになっている。
【００２１】
実際に隙間塞ぎ板１５を図２の(a) ，(b) に示すような使用位置から図３の(b-1) 及び(b-2) に示すような折畳位置に折り畳む時には、隙間塞ぎ板１５を、図２の(b) に実線で示す使用位置から同図の仮想線で示す状態を経由してそのまま幅木本体１４側へ一気に回動すれば、隙間塞ぎ板１５のロック用開口２２の下端縁部にロックプレート２０の先端テーパ部１８ａが衝当してロックプレート２０が一時的にロック解除した後、瞬時に下向き鉤部１８がロック用開口２２に突入してその下端縁部に係止するから、隙間塞ぎ板１５を使用位置から折畳位置まで回動するだけの操作で、隙間塞ぎ板１５はそのまま折畳位置に自動的にロックされることになる。
【００２２】
上記ロック装置１６Ａのロックプレート２０を幅木本体１４に枢着するにあたっては、図４の(a) から分かるように幅木本体１４の外側壁ｂにおける貫通口１９の下位側に台枠２４を取り付け、この台枠２４の両側枠片２４ａ，２４ａとロックプレート２０の両耳片２０ａ，２０ａとに亙って枢軸２５を貫通させると共に、この枢軸２５に捻りバネ２３を巻き付けるようにすると共に、この捻りバネ２３の両端部をロックプレート２０の基端部２０ｏと台枠２４とに係止させている。
【００２３】
上記のように幅木本体１４と隙間塞ぎ板１５とロック装置１６Ａとからなる手摺り枠用幅木１は、図１に概略図示するように、幅木本体１４の外面側両端部に設けた幅木本体取付金具２６，２６を、手摺り枠２の両端部に取り付けられていて、隣り合う建枠４，４の対向する脚柱５，５に夫々固定される手摺り枠取付金具１２，１２に取外し可能に取り付けることにより、幅木本体１４を起立姿勢に保持するようになっている。
【００２４】
図５の(a) は本発明の他の実施形態による手摺り枠用幅木１を示す正面図であり、(b) は平面図、(c) は右側面図である。ここに示す手摺り枠用幅木１は、図１〜図４によって説明した手摺り枠用幅木１のロック装置１６Ａとは異なる構造のロック装置１６Ｂを備えた幅木で、これ以外の構造については図１〜図４に示す実施形態を全く同じであるため、以下にはこのロック装置１６Ｂのみを説明し、他の構造について同じ部材には同じ符号を付して説明を省略する。
【００２５】
このロック装置１６Ｂは、ロックピン２８及びコイルバネ２９からなる。ロックピン２８は、図６の(b) ，(c) から分かるように、幅木本体１４の上端部を貫通して回転可能で軸方向移動可能に軸支され且つコイルバネ２９で幅木本体１４の外側方向へ付勢される支軸部３０と、この支軸部３０の先端部から幅木本体１４の内側壁ａに沿って平行に延びる操作軸３１と、この操作軸３１の先端部から内向きに支軸部３０と平行に突出した係止軸部３２とからなるもので、幅木１の使用時には、係止軸部３２を幅木本体１４に設けた係止孔３５に係入することにより、操作軸部３１を水平姿勢で幅木本体１４の内側壁ａから最小限突出させた状態に保持する。一方、隙間塞ぎ板１５には、図７の(a-1) ，(a-2) に示すように、折畳位置でロックピン２８の操作軸部３１部分を貫通させて手前側へ突出させる横方向に長い長孔３３と、この長孔３３から突出したロックピン２８の操作軸部３１を引っ張りながら支軸部３０をその軸周りに下方へ９０度回動させた位置で係止軸部３２が係入可能なロック孔３４とを設ける。しかして、隙間塞ぎ板１５板を折畳位置で隙間塞ぎ板の長孔３３から外側へ突出したロックピン２８の操作軸部３１を引きながら９０度回動させて、係止軸部３２を、図７の(b-1) ，(b-2) に示すように隙間塞ぎ板１５のロック孔３４から幅木本体１４のロック孔３６に亘って係入させることにより、隙間塞ぎ板１５を折畳位置にロックし、また操作軸部３１を引きながら９０度回動させて隙間塞ぎ板１５の長孔３３に挿入させることによってロック解除することができる。
【００２６】
上記のような構成のロック装置１６Ｂによれば、幅木１の隙間塞ぎ板１５を図６の(a) ，(b) に示すような使用位置から、図７の(a-1) ，(a-2) に示すような折畳位置まで回転させると、ロックピン２８の操作軸部３１が隙間塞ぎ板１５の長孔３３を貫通して手前側へ突出するから、この突出した操作軸部３１を引きながら支軸部３０を中心に９０度回転させて係止軸部３２を隙間塞ぎ板１５のロック孔３４から幅木本体１４のロック孔３６に係入させることにより、同図の(b-1) ，(b-2) に示すように隙間塞ぎ板１５を折畳位置に固定することができる。また、隙間塞ぎ板１５を使用する時は、操作軸部３１を引きながら９０度回転させて長孔３３に挿入させれば、ロック解除状態となるから、そのまま隙間塞ぎ板１５を倒すことにより使用位置にセットすることがてきる。
【００２７】
また、手摺り枠用幅木１の幅木本体１４が中空状のアルミ押出形材からなることから、幅木本体が一枚の金属板からなるものに比べ、幅木本体の厚み幅を大きくとれるために、ロックピン２８を幅木本体１４に軸支するのに特別に軸受部材を取り付ける必要がなく、ロックピン２８の支軸部３０を安定良く軸支でき、製作が容易となる。
【符号の説明】
【００２８】
１            手摺り枠用幅木
２            手摺り枠
３            足場板
４            建枠
５            脚柱
１４          幅木本体
１５          隙間塞ぎ板
１６Ａ        ロック装置
１６Ｂ        ロック装置
１８          ロックプレートの先端部にある下向き鉤部
１８ａ        鉤部の先端テーパ部
１９          貫通口
２０          ロックプレート
２０ｏ        ロックプレートの基端部
２２          隙間塞ぎ板のロック用開口
２３          バネ
２８          ロックピン
２９          バネ
３０          ロックピンの支軸部
３１          ロックピンの操作軸部
３２          ロックピンの係止軸部
３３          隙間塞ぎ板の長孔
３４          ロック孔
３６          ロック孔
【図１】
2012180660.tif 000003
【図２】
2012180660.tif 000004
【図３】
2012180660.tif 000005
【図４】
2012180660.tif 000006
【図５】
2012180660.tif 000007
【図６】
2012180660.tif 000008
【図７】
2012180660.tif 000009